(57)【要約】【課題】  アシンメトリ等の非線形歪みが存在する再生信号に対して正確に最尤復号を行う装置を提供する。【解決手段】  複数の基準値に対する記録媒体から得られた再生信号の値の尤度を計算し、尤度に基づいて再生信号を復号する最尤復号法を用いた情報再生装置において、記録媒体から得られた再生信号から再生信号のアシンメトリに応じた複数の識別値を検出するアシンメトリ検出器と、再生信号が識別値間のどのレベル範囲に属するかを判定する判定部３０と、判定部の判定結果と再生信号と複数の識別値とに基づいて再生信号を正規化し、正規化された再生信号の値の尤度を求める算出部３１とを備える。【選択図】      図６
2005166221.tif 000002
【特許請求の範囲】
【請求項１】
複数の基準値に対する記録媒体から得られた再生信号の値の尤度を計算し、該尤度に基づいて再生信号を復号する最尤復号法を用いた情報再生装置において、
前記記録媒体から得られた再生信号から該再生信号の特性に対応した複数の基準値を検出する検出手段と、前記複数の基準値に応じて前記再生信号または前記尤度を補正する補正手段と、を備えることを特徴とする情報再生装置。
【請求項２】
前記検出手段は、前記再生信号を基に再生信号の特性に対応した複数の基準値を生成する請求項１に記載の情報再生装置。
【請求項３】
前記検出手段は、前記再生信号の分布を基に再生信号の特性に対応した複数の基準値を生成する請求項２に記載の情報再生装置。
【請求項４】
前記補正手段は、前記基準値同士の間隔を基に再生信号の補正値を算出し保持する保持手段を備え、前記保持手段に保持されている再生信号の補正値を基に前記再生信号を補正する請求項１に記載の情報再生装置。
【請求項５】
前記検出手段は前記再生信号を基に、前記複数の基準値を逐次更新する手段を備え、前記補正手段は逐次更新された複数の基準値を基に前記再生信号または前記尤度を補正する請求項１に記載の情報再生装置。
【請求項６】
前記補正手段は、前記再生信号が前記基準値間のどのレベル範囲に属するかを判定する判定部と、判定部の判定結果と前記複数の基準値とに基づいて前記再生信号を正規化し、正規化された再生信号の値の尤度を求める算出部とを備えた請求項１記載の情報再生装置。
【請求項７】
前記補正手段は、前記再生信号の値の尤度を計算し、前記複数の基準値に基づいて前記尤度を正規化する算出部とを備えた請求項１記載の情報再生装置。
【請求項８】
前記基準値は非線形歪に応じた識別値である請求項１〜７記載のいずれか１項に記載の情報再生装置。
【請求項９】
複数の基準値に対する記録媒体から得られた再生信号の値の尤度を計算し、該尤度に基づいて再生信号を復号する最尤復号法を用いた情報再生方法において、
前記記録媒体から得られた再生信号から該再生信号の特性に対応した複数の基準値を検出する第１ステップと、前記複数の基準値に応じて前記再生信号または前記尤度を補正する第２ステップとを有することを特徴とする情報再生方法。
【請求項１０】
前記第１ステップにおいて、前記再生信号を基に再生信号の特性に対応した複数の基準値を検出する請求項９に記載の情報再生方法。
【請求項１１】
前記第１ステップにおいて、前記再生信号の分布を基に再生信号の特性に対応した複数の基準値を検出する請求項１０に記載の情報再生方法。
【請求項１２】
前記第２ステップにおいて、前記基準値同士の間隔を基に再生信号の補正値を算出し、この補正値を保持手段に保持し、前記保持手段に保持されている再生信号の補正値を基に前記再生信号を補正する請求項９に記載の情報再生方法。
【請求項１３】
前記第１ステップにおいて、前記再生信号を基に、前記複数の基準値を逐次更新し、前記第２ステップにおいて、逐次更新された複数の基準値を基に前記再生信号または前記尤度を補正する請求項９に記載の情報再生方法。
【請求項１４】
前記第２ステップにおいて、前記再生信号が前記基準値間のどのレベル範囲に属するかを判定し、その判定結果と前記複数の基準値とに基づいて前記再生信号を正規化し、
正規化された再生信号の値の尤度を求める第３のステップを有する請求項９記載の情報再生方法。
【請求項１５】
前記第２ステップにおいて、前記再生信号の値の尤度を計算し、前記複数の基準値に基づいて前記尤度を正規化する請求項９記載の情報再生方法。
【請求項１６】
前記基準値は非線形歪に応じた識別値である請求項９〜１５記載のいずれか１項に記載の情報再生方法。
【発明の詳細な説明】
【技術分野】
【０００１】
本発明は情報再生方法及び情報再生装置に係わり、特に光ディスク、光磁気ディスク、コンパクトディスク（ＣＤ）、ＣＤ−Ｒ等の情報記録媒体に用いられる情報再生方法及び情報再生装置に用いられるものである。
【背景技術】
【０００２】
従来より光ディスクドライブ等の光学的情報再生装置における信号処理方式としてPRML(Partial Response Maximum Likelihood)がある。PRML方式では記録再生系の特性に応じたPR（パーシャルレスポンス）方式で再生信号を波形等化し、ビタビ復号等の最尤復号により復号処理を行うことにより符号間干渉の大きい再生信号においても誤り率の低いデータを得ることができる。ビタビ復号において尤度を算出するためには、波形等化処理に用いられるＰＲ方式によって定まる理想サンプル値が識別点の値として用いられる。
【０００３】
しかしながら、光ディスクにおいては、再生信号のアイ・パターンが非対称となるアシンメトリと呼ばれる現象等の非線形歪みのために、ＰＲ方式に応じて一義的に定まる識別点と再生信号のレベルが異なり、ビタビ復号の復号性能を劣化させる要因となっている。
【０００４】
これに対して、特許文献１には、最短記録情報の振幅最大値及び振幅最小値、再生信号エンベロープの最大値及び最小値、再生信号２値化の際の中心値をもとに識別点を設定することにより、ビタビ復号の識別点を実際の再生波形に即したものとする情報再生装置及び再生方法が開示されている。
【特許文献１】特開２００１−２５０３３４号公報
【発明の開示】
【発明が解決しようとする課題】
【０００５】
上記従来例では、再生信号のアシンメトリに応じた識別点を設定しビタビ復号を行っている。しかしながら、アシンメトリに対応するために隣接する識別点の間隔が不等間隔になると、各時刻で算出する尤度の値がばらついてしまい、ビタビ復号における各時刻の遷移系列の尤度を正確に判断できないという課題が生じる。これを図９により説明する。
【０００６】
図９は、ＰＲ（１，２，２，１）に対応したビタビ復号の識別点をアシンメトリに応じて設定した値を示したものである。アシンメトリがない場合の識別点は０〜６の７値となるが、図９ではアシンメトリ等の非線形な歪みに対応すべく不等間隔に識別点ｇ０〜ｇ６を設定している。
【０００７】
ここで、再生信号の値が4.6（図９中Ｂ）の場合、これと識別点ｇ４及びｇ５の尤度は各々以下のようになる。
【０００８】
Ｂ（ｇ４）＝（４．６−ｇ４）２  ＝０．１６
Ｂ（ｇ５）＝（４．６−ｇ５）２  ＝０．１６
また、再生信号の値1.6（図９中Ａ）の場合、これと識別点ｇ１及びｇ２の尤度は各々以下のようになる。
【０００９】
Ｂ（ｇ１）＝（１．６−ｇ１）２  ＝０．３６
Ｂ（ｇ２）＝（１．６−ｇ２）２  ＝０．３６
図９に示すように、再生信号4.6はｇ４及びｇ５から同じ距離にあり、再生信号1.6はｇ１及びｇ２から同じ距離にある。従って、再生信号4.6がｇ４またはｇ５である確率と再生信号1.6がｇ１またはｇ２である確率は同じであると考えるのが妥当であるが、上記のブランチメトリックは各々０．１６と０．３６となり異なった値を示す。このように、再生信号と識別点との関係に依存して確からしさにばらつきが生じ、ビタビ復号の復号データを決定する際のパスメトリックの評価が正確に行われないために復号性能が低下する。
【００１０】
そこで、本発明ではアシンメトリ等の非線形歪みが存在する再生信号に対して正確に最尤復号を行う装置を提供することを目的とする。
【課題を解決するための手段】
【００１１】
上記目的は、複数の基準値に対する記録媒体から得られた再生信号の値の尤度を計算し、該尤度に基づいて再生信号を復号する最尤復号法を用いた情報再生装置において、
前記記録媒体から得られた再生信号から該再生信号の特性に対応した複数の基準値を検出する検出手段と、前記複数の基準値に応じて前記再生信号または前記尤度を補正する補正手段と、を備えることを特徴とする、本発明の情報再生装置によって達成される。
上記本発明の情報再生装置において、前記検出手段は、前記再生信号を基に再生信号の特性に対応した複数の基準値を生成するように構成できる。また上記本発明の情報再生装置において、前記検出手段は、前記再生信号の分布を基に再生信号の特性に対応した複数の基準値を生成するように構成できる。また上記本発明の情報再生装置において、前記補正手段は、前記基準値同士の間隔を基に再生信号の補正値を算出し保持する保持手段を備え、前記保持手段に保持されている再生信号の補正値を基に前記再生信号を補正するように構成できる。また上記本発明の情報再生装置において、前記検出手段は前記再生信号を基に、前記複数の基準値を逐次更新する手段を備え、前記補正手段は逐次更新された複数の基準値を基に前記再生信号または前記尤度を補正するように構成できる。また上記本発明の情報再生装置において、前記補正手段は、前記再生信号が前記基準値間のどのレベル範囲に属するかを判定する判定部と、判定部の判定結果前記複数の基準値とに基づいて前記再生信号を正規化し、正規化された再生信号の値の尤度を求める算出部とを備えるように構成できる。また上記本発明の情報再生装置において、前記補正手段は、前記再生信号の値の尤度を計算し、前記複数の基準値に基づいて前記尤度を正規化する算出部とを備えるように構成できる。また上記本発明の情報再生装置において、前記基準値は非線形歪に応じた識別値である場合がある。
【００１２】
また、上記目的は、複数の基準値に対する記録媒体から得られた再生信号の値の尤度を計算し、該尤度に基づいて再生信号を復号する最尤復号法を用いた情報再生方法において、
前記記録媒体から得られた再生信号から該再生信号の特性に対応した複数の基準値を検出する第１ステップと、前記複数の基準値に応じて前記再生信号または前記尤度を補正する第２ステップとを有することを特徴とする、本発明の情報再生方法によって達成される。
【００１３】
上記本発明の情報再生方法において、前記第１ステップで、前記再生信号を基に再生信号の特性に対応した複数の基準値を検出することができる。また上記本発明の情報再生方法において、前記第１ステップで、前記再生信号の分布を基に再生信号の特性に対応した複数の基準値を検出することができる。また上記本発明の情報再生方法において、前記第２ステップで、前記基準値同士の間隔を基に再生信号の補正値を算出し、この補正値を保持手段に保持し、前記保持手段に保持されている再生信号の補正値を基に前記再生信号を補正することができる。また上記本発明の情報再生方法において、前記第１ステップで、前記再生信号を基に、前記複数の基準値を逐次更新し、前記第２ステップで、逐次更新された複数の基準値を基に前記再生信号または前記尤度を補正することができる。また上記本発明の情報再生方法において、前記第２ステップで、前記再生信号が前記基準値間のどのレベル範囲に属するかを判定し、その判定結果と前記複数の基準値とに基づいて前記再生信号を正規化し、正規化された再生信号の値の尤度を求める第３のステップを有するようにすることができる。また上記本発明の情報再生方法において、前記第２ステップで、前記再生信号の値の尤度を計算し、前記複数の基準値に基づいて前記尤度を正規化することができる。また上記本発明の情報再生方法において、前記基準値は非線形歪に応じた識別値であるようにすることができる。
【発明の効果】
【００１４】
本発明によれば、アシンメトリ等に対応するために各基準値間の間隔が不等間隔となっても、それに対応して等化信号または尤度を補正するので正確に尤度を算出することができ、従って復号性能が向上する。
【００１５】
また、本発明によれば、アシンメトリ等に対応した基準値を検出する際に最尤復号の復号２値化信号を基に各基準値に対応する等化信号を設定することで、基準値検出の信頼性が向上し、よって等化信号または尤度の補正精度が向上する。
【００１６】
また、本発明によれば、再生等化信号の分布を基に前記アシンメトリ等に対応した識別値を検出することで、信号の特性に一致した識別値の検出が可能となり、よって復号性能が向上する。
【００１７】
また、本発明によれば、前記等化信号または尤度の補正値をメモリに保持し、補正の際にメモリにアクセスすることにより補正値が得られるので高速な補正処理が可能となる。
【００１８】
また、本発明によれば、前記再生信号を基にアシンメトリ等に対応した基準値を逐次更新して検出することで、再生信号の時間的な変動にも柔軟に対応した補正が可能となり、よって復号性能が著しく向上する。
【発明を実施するための最良の形態】
【００１９】
以下、本発明の実施の形態について図面を用いて詳細に説明する。
【００２０】
（第１の実施形態）
以下において、本発明に係る情報再生装置の第1の実施の形態を図面を参照して説明する。図１に本発明に係る装置の第１の実施形態を示す。
【００２１】
図１において、１１は光ディスクであり光学的に情報の記録・再生を行う媒体である。１２は光学ヘッドであり光ディスク１１からの再生信号を検知する。１３はプリアンプであり光学ヘッド１２からの再生アナログ信号を増幅する。１４はAGC (Automatic Gain Control )であり、信号振幅が一定となるようにゲイン調整を行う。１５は波形等化器であり波形整形を行う。１６はＡ／Ｄ変換器であり再生アナログ信号をサンプリングしデジタル再生信号に変換する。
【００２２】
１７はデジタルフィルタであり、変換されたデジタル再生信号を所望のＰＲ特性となるように等化する。１８はビタビ復号器であり、PR等化された信号からメトリックを算出して復号データを生成する。１９はアシンメトリ検出器であり、等化信号を基にアシンメトリを検出しアシンメトリに対応した識別値をビタビ復号器１８に与える。
【００２３】
ここで、図６に示すビタビ復号１８の動作について説明する。図６は、ビタビ復号器の内部ブロックを示す図であり、各時刻毎に正規化したブランチメトリックを算出する正規化ブランチメトリック生成部２０、各状態に遷移するパスの確からしさを算出するパスメトリック算出部３２、各状態に遷移するパスに対応する復号データを保持するパスメモリ３３より構成される。正規化ブランチメトリック生成部２０はレベル判定部３０と正規化メトリック算出部３１とで構成される。正規化ブランチメトリック生成部２０についてはその詳細を後述する。
【００２４】
図２にPR(1,2,2,1)によるビタビ復号の状態遷移図を示す。尚、記録符号としてRLL(1,7)符号を用い、記録の際にはＮＲＺＩ変換して記録する場合について示す。PR(1,2,2,1)によるＰＲ方式を用いると図２に示すように６状態の遷移により復号過程を表すことができる。
ここで、各時刻における状態Ｓ（０，０，０）をＳ０、状態Ｓ（０，０，１）をＳ１、状態Ｓ（０，１，１）をＳ２、状態Ｓ（１，０，０）を状態Ｓ３、状態Ｓ（１，１，０）を状態Ｓ４、状態Ｓ（１，１，１）を状態Ｓ５とする。
【００２５】
尚、状態Ｓ（ｄｋ−２，ｄｋ−１，ｄｋ）とは、現時刻の復号データがｄｋ、１時刻前の復号データがｄｋ−１、２時刻前の復号データがｄｋ−２であることを示す。また、各遷移の際の復号データ及びPR(1,2,2,1)による理想サンプル値をｄｋ／Ｐｋと表している。
【００２６】
図３は、図２の状態遷移図を時間軸方向に展開したトレリス線図である。ビタビ復号では、図３に示すトレリス線図に従って、各状態Ｓ０〜Ｓ５の時刻ｋでのパスメトリックｍ０［ｋ］〜ｍ５［ｋ］は、時刻ｋ−１の所定の状態のメトリックｍ０［ｋ−１］〜ｍ５［ｋ−１］と時刻ｋでの実際のPR出力値ｙ［ｋ］とを用いて以下のようになる。
【００２７】
【数１】
2005166221.tif 000003
【００２８】
但し、上記の数式（１）においてａ０〜ａ６は振幅基準値である。この振幅基準値はアシンメトリに対応しなくてよい。ここで、y’は正規化した再生信号である。
【００２９】
状態S０、状態S１、状態S４及び状態S５では、各時刻毎に２つのパスが合流するため、合流する２つのパスのうち、パスメトリック値が小さい方を生き残りパスとして選択する。
【００３０】
また、図３のトレリス線図に示すように時刻ｋ−１から時刻ｋの各状態に遷移する際には、各遷移により定まるPR(1,2,2,1)の理想サンプル値と実際の再生信号を正規化処理した出力値とのユークリッド距離をブランチメトリックとして正規化メトリック算出部３１で算出し、パスメトリック算出部３２において、上記数式（１）に従いブランチメトリックを加算し、パスメトリックを比較し、確からしいパスを選択することによりパスメトリック逐次更新する。尚、PR(1,2,2,1)の理想サンプル値は０，１，２，３，４，５，６の７値となる。
【００３１】
ビタビ復号器１８においては、各時刻毎に上記数式（１）に従い各状態に至るパスのメトリック値を算出する。また、各パスに対応した復号データに従いパスメモリ３３を更新する。
【００３２】
図５は図４のトレリス線図に示すように状態遷移した場合の時刻ｋにおける各状態Ｓ０〜Ｓ５に至る生き残りパスに対応したパスメモリ３３を示したものである。時刻ｋにおける各状態の尤度を比較し、最も確からしい状態を判定し、その状態のパスメモリ３３を参照することにより、ビタビ復号器の２値化データを予測することは可能である。
【００３３】
アシンメトリ検出部１９ではアシンメトリに対応した識別値を検出する。前述のようにＰＲ（１，２，２，１）の特性においては、識別点のレベルは理想的には０〜６の７値である。しかしながら、図７に示すように等化信号の分布を求めるとアシンメトリがあると識別点のレベルは図７に示すように理想的なものからピークの位置がずれたものとなっている。ここでは、記録信号が既知である所定の領域を再生することにより７つのレベル毎の分布を抽出して、その平均値を基に図７に示すような識別値ｇ０〜ｇ６を得るものとする。
【００３４】
但し、識別値の検出は、上述した特開2001-250334号公報に開示されているような他の公知の技術を用いることができるのは言うまでもない。
【００３５】
また、アシンメトリの検出は所定の学習領域における再生信号を基に検出し、検出した値を用いて以後の復号処理を行っても良いし、あるいはユーザデータ再生中の信号を用いて各基準値に対応する信号を統計処理するなどして逐次基準値を更新するようにすることも可能である。
【００３６】
次に、図６の本発明の特徴である正規化ブランチメトリック生成部２０の動作について説明する。ブランチメトリックを生成する際に、本実施形態においては各識別点の間隔を１として再生信号を正規化する。図８に正規化の概略を示す。図８は、アシンメトリに対応した識別値ｇ０〜ｇ６と再生信号ｙ１及びｙ２を示したものである。ここで、説明のためにｇ０〜ｇ６を以下とした場合について示す。
【００３７】
ｇ０＝0.0，ｇ１＝0.9，ｇ２＝1.9，ｇ３＝3.0，ｇ４＝3.9，ｇ５＝4.7，ｇ６＝6.0
例えば再生信号ｙ１＝4.2の場合には、ｇ４とｇ５の間となるので正規化後の再生信号y1’は以下のようになる。
y1’ = 4.0＋（ｙ１−ｇ４）／（ｇ５−ｇ４）
= 4.0＋（4.2‐3.9）／（4.7‐3.9）
= 4.375
また、ｙ２＝1.6の場合には、ｇ１とｇ２の間となるので正規化後の再生信号y2’は以下となる。
y2’ = 1.0＋（ｙ２−ｇ１）／（ｇ２−ｇ１）
= 1.0 + （1.6‐0.9）／（1.9‐0.9）
= 1.7
正規化ブランチメトリック生成部２０においては、再生信号及びアシンメトリに対応した識別値を基にレベル判定部３０において、再生信号が図８のＲ０〜Ｒ５のいずれのレンジに存在するのかを判定する。正規化メトリック算出部３１においては、再生信号、レベル判定結果及びアシンメトリに対応した識別値を基に、前述のように再生信号を正規化してブランチメトリックを生成する。正規化したブランチメトリックは、パスメトリック算出部３２に出力される。以降、通常のビタビ復号と同様の復号処理により２値化出力を得ることができる。
【００３８】
上記のように、本実施形態においてはアシンメトリに対応した識別値を基に再生信号を正規化するので、ビタビ復号のブランチメトリックは理想的な振幅基準値ａ０〜ａ６を用いて算出することができる。また、アシンメトリに対応した不等間隔な識別値により生じるブランチメトリックのばらつきもなくなるので、正確な復号処理が可能となる。
【００３９】
（第２の実施形態）
本実施形態においては、アシンメトリに対応した各識別値間の間隔を所定の値で離散化して、再生信号に対応した正規化後の再生信号の値を算出したテーブルを作成しメモリに保持する。図１１は、テーブルの概略を示したもので、再生信号の値に対応した正規化後の再生信号がテーブルを参照することにより得ることができる。
【００４０】
図１０は、本実施形態のビタビ復号器２５の構成を示すブロック図である。正規化ブランチメトリック生成部２１は、所定の再生信号からアシンメトリを検出して、正規化信号生成部３４において所定の間隔で離散化した再生信号に対応する正規化信号を生成しメモリ３６に保持する。
【００４１】
再生信号ｙを入力すると信号変換器３７において再生信号のレベルを基に、メモリ３６を参照して正規化再生信号を読み出す。ブランチメトリック算出部３５においては、正規化再生信号を基にブランチメトリックを算出する。
【００４２】
正規化したブランチメトリックは、パスメトリック算出部３２に出力される。以降は、第1の実施形態と同様である。
【００４３】
（第３の実施形態）
図１２に本発明に係る第３の実施形態のブロック図を示す。本実施形態においては、ビタビ復号の復号結果である２値化データを基に等化信号に対応する理想値を算出する構成となっている。図１２においてビタビ復号器４０は、アシンメトリ検出器４１で逐次更新される識別値を基に復号動作を実行する。
【００４４】
ここで、アシンメトリによる基準値を逐次更新する場合について説明する。図１３は、アシンメトリ検出器４１の概略を示したものである。図１３において４０１は遅延器であり、デジタルフィルタからの等化再生信号を所定時間遅延し、ビタビ復号器４０より得られる復号２値化データと同期させる。理想値生成器４０３は、復号２値化データ列を基にPR(１，２，２，１)特性の理想等化信号を算出し、等化再生信号に対する理想等化信号を生成する。スイッチ４０２は、理想等化信号を基に等化再生信号を各理想値に対応する平均値生成器４０４に振り分ける。
【００４５】
平均値生成器４０４では、各理想値に対応する実際の等化再生信号を所定サンプル分に渡って逐次平均化処理を施し、この平均値をアシンメトリに対応した識別値としてビタビ復号器４０に出力する。ビタビ復号器４０の内部動作は第１の実施形態と同様である。
【００４６】
従って、本実施形態の装置においては再生信号の状態に柔軟に対応した識別値を常に生成しビタビ復号器４０に供給するので、正規化メトリック生成の精度が著しく向上する。よって信号の状態が変動しても最適な復号動作を実現でき、低エラーレートの復号性能を得ることが可能となる。
【００４７】
また、ビタビ復号の復号結果である２値化データを基に等化信号に対応する理想値を算出する構成なので、アシンメトリ検出４１における識別値の検出の際の信頼度が向上する。
【００４８】
（第４の実施形態）
本実施形態における特徴は、ビタビ復号のブランチメトリックの算出方法である。他の構成は第1の実施形態と同様であるので省略する。
【００４９】
図１４にブランチメトリック算出の概略を示す。図１４にあるようにアシンメトリ検出器により、基準値ｇ０〜ｇ６が得られている。ここで、再生信号ｙ１が与えられた場合、図３のＳ２からＳ５に遷移するパスのアシンメトリに対応したブランチメトリックB５を以下により算出する。
B５＝（ｙ１−ｇ５）２
次に、アシンメトリに対応したｇ５からｇ３間の距離を理想値による距離２（＝５−３）で正規化してブランチメトリックを補正する。
【００５０】
B’５＝B５・｛２／（ｇ５−ｇ３）｝２
他のブランチメトリックも同様に正規化処理し、これを基にパスメトリックを算出しビタビ復号を行う。これにより、アシンメトリに対応するためにビタビ復号の基準値をシフトした場合でも、ブランチメトリックを正確に得ることができる。
【００５１】
図１５は、本実施形態に係るビタビ復号器５０のブロック図である。尚、ビタビ復号の基準値は図１４のｇ０〜ｇ６を用いるものとする。算出するブランチメトリックは以下の７個となる。
【００５２】
【数２】
2005166221.tif 000004
【００５３】
また、ブランチメトリックを正規化するための係数K０〜Ｋ6を算出する。例えば図１４に示すように等化信号ｙ＝１．６の場合、正規化係数K０〜K6は以下となる。
K0＝｛２／（ｇ２−ｇ０）｝２
K1＝｛１／（ｇ２−ｇ１）｝２
K2＝｛１／（ｇ２−ｇ１）｝２
K3＝｛２／（ｇ３−ｇ１）｝２
K4＝｛３／（ｇ４−ｇ１）｝２
K5＝｛４／（ｇ５−ｇ１）｝２
K6＝｛５／（ｇ６−ｇ１）｝２
従って、図１５のブランチメトリック算出器５１においては、等化信号及びアシンメトリ検出器より得られる基準値を基にブランチメトリックB０〜B6を算出し、正規化係数算出器５２により正規化係数K0〜K6を算出する。
【００５４】
次に、正規化ブランチメトリック算出器５３においてブランチメトリック及び正規化係数を乗算し正規化ブランチメトリックを生成する。
B’ｎ＝Bｎ・Kｎ  （ｎ＝０〜６）
以下、正規化ブランチメトリックを基にパスメトリックを算出してビタビ復号処理を行う。
【００５５】
本実施形態においては、ブランチメトリックをアシンメトリに対応した基準値を基に算出し、かつ基準値の間隔に応じてブランチメトリックを正規化しているので、パスメトリックの精度が向上し、復号性能が向上する。
【００５６】
以上説明した実施形態では、基準値として、非線形歪に応じた識別値となるアシンメトリに応じた識別値を取り上げて説明したが、アシメトリ以外に基準値が理想値からずれる要因としては他に、１）再生信号にオフセットが生じている場合、２）エンベロップ（再生信号の振幅）が変動している場合、３）波形等化器の誤差、などがあり、かかる場合にも本発明を用いることができる。
【００５７】
なお、デジタル再生信号を処理する回路（ビタビ復号器、アシメトリ検出器など）は専用設計されたハード構成でも良いが、全て或いは一部の処理を他の処理と兼用のＣＰＵに担わせても構わない。
【産業上の利用可能性】
【００５８】
本発明は、光ディスク、光磁気ディスク、コンパクトディスク（ＣＤ）、ＣＤ−Ｒ等の情報記録媒体の情報再生方法及び情報再生装置に用いられる。
【図面の簡単な説明】
【００５９】
【図１】本発明に係る第１の実施形態のブロック図である。
【図２】ビタビ復号の状態遷移を説明する状態遷移図である。
【図３】ビタビ復号の状態遷移を説明するトレリス線図である。
【図４】ビタビ復号の復号動作の概略を説明する図である。
【図５】パスメモリの概略図である。
【図６】本発明に係る第１の実施形態のビタビ復号器のブロック図である。
【図７】再生信号のアシンメトリを説明する図である。
【図８】アシンメトリに対応した再生信号の補正を説明する図である。
【図９】ビタビ復号の基準値と再生信号の概略図である。
【図１０】本発明に係る第２の実施形態のビタビ復号器のブロック図である。
【図１１】再生信号の補正値テーブルの概略図である。
【図１２】本発明に係る第３の実施形態のブロック図である。
【図１３】本発明に係る第３の実施形態のアシンメトリ検出器の概略図である。
【図１４】ブランチメトリックの正規化を説明する図である。
【図１５】本発明に係る第4の実施形態のブロック図である。
【符号の説明】
【００６０】
１１  光ディスク
１２  光ピックアップ
１３  プリアンプ
１４  ＡＧＣ
１５  波形等化器
１６  Ａ／Ｄ変換器
１７  デジタルフィルタ
１８  ビタビ復号器
１９  アシンメトリ検出器
【図１】
2005166221.tif 000005
【図２】
2005166221.tif 000006
【図３】
2005166221.tif 000007
【図４】
2005166221.tif 000008
【図５】
2005166221.tif 000009
【図６】
2005166221.tif 000010
【図７】
2005166221.tif 000011
【図８】
2005166221.tif 000012
【図９】
2005166221.tif 000013
【図１０】
2005166221.tif 000014
【図１１】
2005166221.tif 000015
【図１２】
2005166221.tif 000016
【図１３】
2005166221.tif 000017
【図１４】
2005166221.tif 000018
【図１５】
2005166221.tif 000019